(57)【要約】【課題】フロア床を受け支える床束に吸震機能を持たせた吸震床束を提供する。【解決手段】基礎床１に固定される底板６と、フロア床３が直接若しくはレベル調整部材１４を介して固定される上板７と、底板６に下端が固定され、上板７に上端が固定される筒状の吸震ゴム材８と、吸震ゴム材８の内部に、上下１列で収容されて、最下部が底板６に当接し、最上部が上板７に当接する複数個の鋼球９と、この各鋼球９の上下方向の中間に位置する吸震ゴム材８の外周を締め付けるリング部材１１とを備える。【選択図】  図１
2005002678.tif 000002
【特許請求の範囲】
【請求項１】
基礎床の上に設置されて、フロア床を受け支える床束であって、
上記基礎床に固定される底板と、上記フロア床が直接若しくはレベル調整部材を介して固定される上板と、上記底板に下端が固定され、上板に上端が固定される筒状の吸震ゴム材と、この吸震ゴム材の内部に、上下１列で収容されて、最下部が底板に当接し、最上部が上板に当接する複数個の鋼球と、この各鋼球の上下方向の中間に位置する吸震ゴム材の外周を締め付けるリング部材とを備えたことを特徴とする吸震床束。
【請求項２】
基礎床の上に設置されて、フロア床を受け支える床束であって、
上記基礎床に固定される底板と、上記フロア床が直接若しくはレベル調整部材を介して固定される上板と、上記底板に下端が固定され、上板に上端が固定される筒状の吸震ゴム材と、この吸震ゴム材の内部に収容されて、半球状下端が底板に当接し、半球状上端が上板に当接するユニバーサルジョイントと、このユニバーサルジョイントの屈曲部分に位置する吸震ゴム材の外周を締め付けるリング部材とを備えたことを特徴とする吸震床束。
【請求項３】
上記吸震ゴム材のリング部材による締め付け位置に相当する外周に、締め付け用窪み部が形成されている請求項１または２記載の吸震床束。
【請求項４】
上記鋼球の最下部またはユニバーサルジョイントの半球状下端がクッション材を介して底板に当接されるとともに、上記鋼球の最上部またはユニバーサルジョイントの半球状上端がクッション材を介して上板に当接される請求項１〜３のいずれか１項に記載の吸震床束。
【発明の詳細な説明】
【０００１】
【発明の属する技術分野】
本発明は、吸震機能を有する床束に関する。
【０００２】
【従来の技術】
従来、ビルディングのような建物の室内のコンクリート製基礎床の上に、フロア床を受け支える床束（単に「束」とも言う。）を一定の間隔（例えば、４５〜５０ｃｍ）で設置したものがある。
【０００３】
上記フロア床は、一般にＯＡフロアやシステムフロアと呼ばれていて、基礎床とフロア床との間の高床空間に、ＯＡ機器や電話などの配線類を配索するようになっている。
【０００４】
そして、粒状緩衝材を用いた防振床は提案されている（例えば、特許文献１参照）。
【０００５】
【特許文献１】
特開平９−３２２６２号公報
【０００６】
【発明が解決しようとする課題】
ところで、上記のような建物自体に免震装置が設置されていれば、さほどの問題はない。
【０００７】
しかしながら、現存する大部分の建物には、免震装置が設置されていないのが実状である。
【０００８】
したがって、地震が発生して建物全体が揺れると、ＯＡ機器類が机や棚から落下して破損するという問題がある。
【０００９】
このような問題は、ＯＡフロアだけに限られるものではなく、例えば、多量の商品を棚に並べているコンビニなどでも、地震が発生して建物全体が揺れると、商品、特にガラス瓶類が棚から落下して破損するという問題がある。
【００１０】
このように、免震装置が設置されていない建物の特定の室内だけでも吸震機能を有する床構造に改造したいという要望がある。
【００１１】
本発明は、上記要望に応えるためになされたもので、フロア床を受け支える床束に吸震機能を持たせた吸震床束を提供することを課題とするものである。
【００１２】
【課題を解決するための手段】
上記課題を解決するために、本発明の請求項１は、基礎床の上に設置されて、フロア床を受け支える床束であって、
上記基礎床に固定される底板と、上記フロア床が直接若しくはレベル調整部材を介して固定される上板と、上記底板に下端が固定され、上板に上端が固定される筒状の吸震ゴム材と、この吸震ゴム材の内部に、上下１列で収容されて、最下部が底板に当接し、最上部が上板に当接する複数個の鋼球と、この各鋼球の上下方向の中間に位置する吸震ゴム材の外周を締め付けるリング部材とを備えたことを特徴とする吸震床束を提供するものである。
【００１３】
本発明の請求項２は、基礎床の上に設置されて、フロア床を受け支える床束であって、
上記基礎床に固定される底板と、上記フロア床が直接若しくはレベル調整部材を介して固定される上板と、上記底板に下端が固定され、上板に上端が固定される筒状の吸震ゴム材と、この吸震ゴム材の内部に収容されて、半球状下端が底板に当接し、半球状上端が上板に当接するユニバーサルジョイントと、このユニバーサルジョイントの屈曲部分に位置する吸震ゴム材の外周を締め付けるリング部材とを備えたことを特徴とする吸震床束を提供するものである。
【００１４】
請求項３のように、上記吸震ゴム材のリング部材による締め付け位置に相当する外周に、締め付け用窪み部が形成されている構成とすることが好ましい。
【００１５】
請求項４のように、上記鋼球の最下部またはユニバーサルジョイントの半球状下端がクッション材を介して底板に当接されるとともに、上記鋼球の最上部またはユニバーサルジョイントの半球状上端がクッション材を介して上板に当接される構成とすることが好ましい。
【００１６】
【発明の作用および効果】
本発明の請求項１によれば、底板と上板との間に固定した吸震ゴム材の内部に、複数個の鋼球を上下１列で収容することにより、フロア床に作用する荷重を鋼球列で受け支えることができるから、吸震ゴム材だけの場合では、荷重（机や棚など）の有無によって撓み具合が異なるのでフロア床が傾くおそれがあるが、鋼球列で受け支えることで吸震ゴム材の撓みがなくなって、フロア床が傾かなくなる。
【００１７】
また、地震が発生して建物全体が揺れた場合、吸震ゴム材が揺れに応じて撓むとともに、この吸震ゴム材に収容された鋼球列は、上下の接触状態を維持したままで吸震ゴム材の撓みに応じて蛇行状で滑らかに転動するので、建物の全方位の揺れが吸収されてフロア床の揺れが少なくなり、ＯＡ機器類等が机や棚から落下して破損することを未然に防止できるようになる。
【００１８】
さらに、各鋼球の上下方向の中間に位置する吸震ゴム材の外周をリング部材で締め付けているから、鋼球列が蛇行状で転動したときの吸震ゴム材の横膨らみを抑制できるので、鋼球列が上下１列の垂直状態に復帰しやすくなるとともに、鋼球列が崩れ落ちることを未然に防止できるようになる。
【００１９】
本発明の請求項２によれば、底板と上板との間に固定した吸震ゴム材の内部に、ユニバーサルジョイントを収容することにより、フロア床に作用する荷重をユニバーサルジョイントで受け支えることができるから、吸震ゴム材だけの場合では、荷重（机や棚など）の有無によって撓み具合が異なるのでフロア床が傾くおそれがあるが、ユニバーサルジョイントで受け支えることで吸震ゴム材の撓みがなくなって、フロア床が傾かなくなる。
【００２０】
また、地震が発生して建物全体が揺れた場合、吸震ゴム材が揺れに応じて撓むとともに、この吸震ゴム材に収容されたユニバーサルジョイントは、吸震ゴム材の撓みに応じて屈曲するので、建物の全方位の揺れが吸収されてフロア床の揺れが少なくなり、ＯＡ機器類等が机や棚から落下して破損することを未然に防止できるようになる。
【００２１】
さらに、ユニバーサルジョイントの屈曲部分に位置する吸震ゴム材の外周をリング部材で締め付けているから、ユニバーサルジョイントが屈曲したときの吸震ゴム材の横膨らみを抑制できるので、ユニバーサルジョイントが垂直状態に復帰しやすくなる。
【００２２】
請求項３によれば、吸震ゴム材のリング部材による締め付け位置に相当する外周に、締め付け用窪み部を形成しているから、吸震ゴム材の締め付け位置が外部から分かりやすくなるとともに、リング部材の位置ずれも防止できるようになる。
【００２３】
請求項４によれば、鋼球の最下部またはユニバーサルジョイントの半球状下端をクッション材を介して底板に当接させるとともに、鋼球の最上部またはユニバーサルジョイントの半球状上端をクッション材を介して上板に当接させているから、歩行振動などで鋼球またはユニバーサルジョイントが底板や上板に直に当たるときに発生しやすい打音を防止できるようになる。
【００２４】
【発明の実施の形態】
以下、本発明の実施の形態を図面を参照して詳細に説明する。
【００２５】
図６に示すように、ビルディングのような建物の室内のコンクリート製基礎床１の上に、吸震床束２が縦横に一定の間隔Ｔ１（例えば、４５〜５０ｃｍ）で立設され、隣り合う吸震床束２の上にフロア床３が隙間無く載置されて、この各吸震床束２で各フロア床３が受け支えられるようになる。このフロア床３の上にはカーペット４等〔図１（ａ）参照〕を敷くことができる。
【００２６】
図１および図２に示すように、上記吸震床束２は、上記コンクリート基礎床１側の底板６と、上記フロア床３側の上板７と備えている。
【００２７】
この底板６と上板７との間には筒状の吸震ゴム材８が配置されて、この吸震ゴム材８の下端は、底板６の上面に焼付け若しくは接着で固定されるとともに、上端は、上板７の下面に焼付け若しくは接着で固定されるようになる。
【００２８】
上記吸震ゴム材８は、天然ゴム溶液および薬品で特殊処理した吸湿性繊維を主成分とし、これに合成ゴムおよび薬品を添加混練して、シート状に圧延したものを繊維方向が交差するように積層し、製品形状に裁断加圧加熱により成型したもので、橋梁用支承材としても使用されているものが最適である。
【００２９】
そして、硬度（ＪＩＳＫ６３０１の５．２）が９５（度）前後、引張強度（ＪＩＳＫ６３０１の３）が１２０Ｋｇ／ｃｍ２以上、引張伸び（ＪＩＳＫ６３０１の３）が３０％以下のものが好ましい。
【００３０】
上記吸震ゴム材８の内部には、上下１列に圧嵌め状態で複数個の鋼球（ボール）９が収容されている。本例では、６個の鋼球９を使用しており、この鋼球９の直径は、例えば１５ｍｍ程度のものが好適である。
【００３１】
上記鋼球列（９）の最下部を底板６に直接当接させ、最上部を上板７に直接当接させても良いが、本実施形態では、それぞれクッション材１０を介して当接させるようにしている。
【００３２】
上記吸震ゴム材８の外周には、各鋼球９の上下方向の中間をそれぞれ締め付けるリング部材１１が設けられている。この吸震ゴム材８のリング部材１１による締め付け位置に相当する外周には、蛇腹状に締め付け用窪み部８ａを形成している。
【００３３】
上記上板７の上面には、４本のねじ１３の締め弛めでレベル（水平高さ）を調整可能なレベル調整部材１４を取付けている。なお、レベル調整部材１４は必要に応じて取付ければ良く、また、この形式のものに限られるものではない。
【００３４】
上記底板６、上板７、吸震ゴム材８、鋼球９およびリング部材１１で吸震床束２の１ユニットが構成されることになる。
【００３５】
そして、吸震床束２の底板６は、コンクリート製基礎床１のアンカーボルト１５にナット１６で固定して、フロア床３は、上板７のレベル調整部材１４にねじ１７で固定する。なお、レベル調整部材１４が不要なときには、フロア床３は、上板７にねじ１７で直接固定すれば良い。
【００３６】
図５に示すように、上記フロア床３が地震で揺れた場合（矢印Ａ）、建物の室内のコンクリート製内壁１９に干渉するおそれがある。
【００３７】
そこで、この内壁１９とフロア床３の側面との間に適当な隙間Ｔ２を隔てるとともに、この隙間Ｔ２に位置する内壁１９に、スプリングやゴム材ような弾性ダンパー２０を取付けて、フロア床３が内壁１９に直接干渉しないようにする。
【００３８】
上記隙間Ｔ２は、ボード下地桟２１に取付けたボード（仕上げ材）２２の下端の巾木２３で覆うようにすれば良い。
【００３９】
上記のような吸震床束２であれば、底板６と上板７との間に固定した吸震ゴム材８の内部に、複数個の鋼球９を上下１列に圧嵌め状態で収容することにより、フロア床３に作用する荷重を鋼球列（９）で受け支えることができるから、吸震ゴム材８だけの場合では、荷重（机や棚など）の有無によって撓み具合が異なるのでフロア床３が傾くおそれがあるが、鋼球列（９）で受け支えることで吸震ゴム材８の撓みがなくなって、フロア床３が傾かなくなる。
【００４０】
また、図３に示すように、地震が発生して建物全体が横揺れ（矢印Ａ参照）した場合、吸震ゴム材８が揺れに応じて撓むとともに、この吸震ゴム材８に収容された鋼球列（９）は、上下の接触状態を維持したままで吸震ゴム材８の撓みに応じて蛇行状で滑らかに転動するので（曲線Ｂ参照）、建物の全方位（矢印Ｃ参照）の揺れが吸収されてフロア床３の揺れが少なくなり、ＯＡ機器類等が机や棚から落下して破損することを未然に防止できるようになる。なお、縦揺れ（矢印Ｄ参照）の場合も吸震ゴム材８の伸縮力で揺れを吸収することができる。
【００４１】
さらに、各鋼球９の上下方向の中間に位置する吸震ゴム材８の外周をリング部材１１で締め付けているから、鋼球列（９）が蛇行状で転動したときの吸震ゴム材８の横膨らみを抑制できるので、各鋼球９が上下１列の垂直状態に復帰しやすくなるとともに、鋼球列（９）が崩れ落ちることを未然に防止できるようになる。
【００４２】
さらにまた、吸震ゴム材８のリング部材１１による締め付け位置に相当する外周に、締め付け用窪み部８ａを形成しているから、吸震ゴム材８の締め付け位置が外部から分かりやすくなるとともに、リング部材１１の位置ずれも防止できるようになる。
【００４３】
また、鋼球列（９）の最下部と最上部を、それぞれクッション材１０を介して底板６と上板７とに当接させているから、歩行振動などで鋼球９が底板６や上板７に直に当たるときに発生しやすい打音を防止できるようになる。
【００４４】
上記実施形態は、吸震ゴム材８の内部に複数個の鋼球９を収容したものであるが、図４の示すように、吸震ゴム材８の内部に、上端１２ａと下端を１２ｂを半球状に形成して、長さ方向の中間部が全方位に屈曲自在なユニバーサルジョイント１２を収容する構成とすることもできる。
【００４５】
この場合には、ユニバーサルジョイント１２の屈曲部分に相当する吸震ゴム材８の外周に締め付け用窪み部８ａを形成して、リング部材１１で締め付けるようにすれば良い。なお、ユニバーサルジョイント１２は、鋼球列（９）のように崩れ落ちる心配が無いので、リング部材１１と締め付け用窪み部８ａとを省略することが可能である。
【００４６】
また、ユニバーサルジョイント１２は、屈曲自在な箇所が長さ方向の中間部１箇所のみではなく、複数箇所であっても良い。
【００４７】
このように、底板６と上板７との間に固定した吸震ゴム材８の内部に、ユニバーサルジョイント１２を収容することにより、フロア床３に作用する荷重をユニバーサルジョイント１２で受け支えることができるから、吸震ゴム材８だけの場合では、荷重（机や棚など）の有無によって撓み具合が異なるのでフロア床３が傾くおそれがあるが、ユニバーサルジョイント１２で受け支えることで吸震ゴム材８の撓みがなくなって、フロア床３が傾かなくなる。
【００４８】
また、地震が発生して建物全体が揺れた場合、吸震ゴム材８が揺れに応じて撓むとともに、この吸震ゴム材８に収容されたユニバーサルジョイント１２は、吸震ゴム材８の撓みに応じて屈曲するので、建物の全方位の揺れが吸収されてフロア床３の揺れが少なくなり、ＯＡ機器類等が机や棚から落下して破損することを未然に防止できるようになる。
【００４９】
さらに、ユニバーサルジョイント１２の屈曲部分に位置する吸震ゴム材８の外周をリング部材１１で締め付けているから、ユニバーサルジョイント１２が屈曲したときの吸震ゴム材８の横膨らみを抑制できるので、ユニバーサルジョイント１２が垂直状態に復帰しやすくなる。
【図面の簡単な説明】
【図１】吸震床束であり、（ａ）は正面断面図、（ｂ）は（ａ）のＥ−Ｅ線断面図である。
【図２】吸震床束であり、（ａ）は平面図、（ｂ）は正面図である。
【図３】吸震床束の揺れ方向などを示すもので、（ａ）は正面断面図、（ｂ）は（ａ）のＥ−Ｅ線断面図である。
【図４】変形例の吸震床束の正面断面図である。
【図５】弾性ダンパーの取付け状態の側面図である。
【図６】吸震床束とフロア床との設置状態の斜視図である。
【符号の説明】
１    コンクリート製基礎床
２    吸震床束
３    フロア床
６    底板
７    上板
８    吸震ゴム材
８ａ  締め付け用窪み部
９    鋼球（鋼球列）
１０  クッション材
１１  リング部材
１２  ユニバーサルジョイント
１４  レベル調整部材
【図１】
2005002678.tif 000003
【図２】
2005002678.tif 000004
【図３】
2005002678.tif 000005
【図４】
2005002678.tif 000006
【図５】
2005002678.tif 000007
【図６】
2005002678.tif 000008